【事件の表示】
　昭和６３年特許願第２２８１２３号「入賞玉の誘導部材」拒絶査定に対する審判事件（平成２年３月１４日出願公開、特開平２−７４２７６）について、次のとおり審決する。
【結論】
　本件審判の請求は、成り立たない。
【理由】
（手続きの経緯、本願発明）
　本願は昭和６３年９月１２日に出願されたものであって、その発明は、平成７年９月２６日付けで提出した全文訂正明細書及び平成１１年５月２４日付け手続補正書の記載からみて、該手続補正書の特許請求の範囲に記載された下記のとおりのものと認める。
「遊技盤の裏面に取り付けられ、且つ入賞した入賞玉を誘導する誘導経路が形成された入賞玉の誘導部材において、
　該誘導部材の前記遊技盤の裏面と接触する板面に、前記遊技盤の裏面に刻設される大径の浅底円形位置決め孔に貫入され且つその先端面が平滑な大径の薄巾突出円形位置決めボスを突設したことを特徴とする入賞玉の誘導部材。」
（引用例）
　これに対して、当審の拒絶の理由で引用した、本願出願前に頒布された刊行物である実願昭６１−２２９４５号（実開昭６２−１３７０８０号）のマイクロフィルム（以下、「引用例１」という。）には、「球誘導カバー６は、第４図及び第５図に示すように、遊技盤２の裏面２ａに当接する平面部本体の中央に切欠部１５が設けられ、前記切欠部１５の周囲には複数の球受入孔１６、１７、１８、１９、２０及び２２が設けられている。」（第６頁第７〜１５行、第４、５図）、「２３は球誘導カバー６の平面部本体の外周に複数穿設されたカバー取付孔であり、前記球誘導カバー６は前記カバー取付孔２３にねじを挿入することにより遊技盤２に取付けられる。２４は前記平面部本体の両側上方に形成した突出部２５に設けられた球誘導カバー６を遊技盤２に位置決めするための突起である。
　球誘導カバー６の前面には、第４図に示すように、平面部本体の外周の一部に前記平面部本体に交差する立上り壁の外壁２６が形成されている。前記平面部本体には球受入孔に通じ、前記平面部本体に交差する立上り壁をもって球誘導路が形成されており、前記平面部本体の中央に形成した切欠部１５の上縁には第１セーフ球受入孔１６からの入賞球となるセーフ球を両側にそれぞれ誘導する立上り壁である第１セーフ球誘導樋２７、２７が形成され、・・・前記セーフ球誘導樋４７と下部の外壁２６間にも一定の間隔を有して下部球誘導路が形成される。
　４９は第６セーフ球受入孔２２の内部下方に一体に設けた舌片であり、第６セーフ球受入孔２２下部の外壁２６はセーフ球誘導樋となる。」（第７頁９行〜第１２頁第１８行、第４、５図）と記載されている。
　同じく引用された実願昭６０−１８３９３９号（実開昭６２−９０６７８号）のマイクロフィルム（以下「引用例２」という。）には、「前面板１４の裏面側には、上記突出片５２、５４と対応して、固定ピン６４および位置決めボス６６が設けられている。そして、突出片５４に設けられた位置決め凹部と前面板１４に設けられた位置決めボス６６とが係合されて打球供給装置２４の取付位置の一方が決められ、・・・打球供給装置２４は前面板１４の所望位置に確実に取付けられる。
　第４図、第５図および第６図を参照してより詳しく述べる。打球供給装置２４を前面板１４に取付ける場合、まず、前面板１４から突出する位置決めボス６６に突出片５４の凹部６７を係合させる。これによって、前面板１４への打球供給装置２４の取付位置が１カ所定まる。その後、突出片５２に形成された固定ピン挿通孔６０に、前面板１４から突出する固定ピン６４を通す。
　固定ピン６４は、より好ましくは、その基底部が位置決めボス６６と同様の位置決めボス６９を備えている。また、突出片５２には、その位置決めボス６９と係合可能な凹部７１が形成されている。
　固定ピン６４の位置決めボス６９と突出片５２の凹部７１とが係合され、第２の位置決めがなされる。このように、打球供給装置２４は、２カ所できっちりと位置決めがされる。」（第７頁第１２行〜第８頁第１８行、第４〜６図）、「なお、上記実施例の説明では、位置決め用ボス６６、６９は前面板１４側に設け、該位置決めボスを受入れる凹部６７、７１は打球供給装置２４側に設けたが、これらは逆にしてもよい。すなわち、打球供給装置２４の突出片５２、５４に、前面板側に突出する位置決めボスを設け、それに対応する前面板１４側に該位置決めボスが係合する凹部を設けてもよい。」（第９頁第１７行〜第１０頁第４行、第４〜６図）と記載されている。
（対比・判断）
　本願発明と引用例１に記載される発明（以下「引用発明」という。）とを比較すると、引用発明における「セーフ球」、「誘導樋２７」、「球誘導カバー６」、「突起２４」が、本願発明における「入賞玉」、「誘導経路」、「誘導部材」、「位置決めボス」に相当することは明白である。また、「球誘導カバー６は、第４図及び第５図に示すように、遊技盤２の裏面２ａに当接する平面部本体の中央に切欠部１５が設けられ、前記切欠部１５の周囲には複数の（セーフ）球受入孔１６、１７、１８、１９、２０及び２２が設けられている。」との記載及び第４、５図の記載からみて、引用発明の球誘導カバー６の遊技盤２に当接する側が、平板状に形成されていることも明白である。したがって、両者は、遊技盤の裏面に取り付けられ、且つ入賞した入賞玉を誘導する誘導経路が形成された入賞玉の誘導部材において、該誘導部材の前記遊技盤の裏面に接触する板面に、位置決めボスを突設した入賞玉の誘導部材である点で一致し、（１）位置決めボスの貫入構成に関し、本願発明は、遊技盤の裏面に刻設される大径の浅底円形位置決め孔に貫入しているのに対して、引用発明は、この構成について言及されていない点、（２）位置決めボスの形状に関し、本願発明は、先端面が平滑な大径の薄巾突出円形であるのに対して、引用発明は、形状に関し単に突起としている点で相違する。
　上記相違点について検討する。相違点（２）については、本願発明において、位置決めボスの形状は、「大径」「薄巾」としているが、「大径」、「薄巾」の定義はなく実質的には位置決めボスの径を高さに比べて大きくしたにすぎないものと認められる。してみれば、本願発明の位置決めボスの形状は、その先端面を平滑とし、その高さに比べてその径を大きくしたものと認められる。ところで、引用例２には、パチンコ遊技機の打球供給装置に係る発明が開示されており、その第４〜６図には、前記打球供給装置の前面板への組立において、先端面が平滑で高さに比べ径を大きくした位置決めボスと、その位置決めボスが係合する凹部とで構成される位置決め構造が開示されている。この位置決めボスを、引用発明の突起に代えて採用し、本願発明のように構成することは、当業者であれば容易に想到し得るものと認められる。また、上下方向のかさばりを小さくし、破損もしにくくなるという作用効果についても、引用例２に開示される発明を採用することにより、当業者であれば当然に予測し得る程度のものであって、格別のものとは認められない。相違点（１）については、引用発明の突起２４が球誘導カバー６を遊技盤に取り付けるに際しての位置決めするための突起であるとしているのであるから、この突起を受ける孔が、遊技盤裏面に形成されているであろうことは、技術常識から見て当業者であれば当然に予測し得るものである。すなわち、特に言及されていないからといって、遊技盤の裏面に位置決め孔が刻設されていないということはできない。そして、形成される位置決め孔を、位置決めボスの形状に合わせて、大径の浅底円形とすることは、引用例２に記載される発明にも見られるように、当業者であれば当然に予測し得る程度のものと認められる。
（むすび）
　以上のとおりであるから、本願発明は、引用例１、２に記載された発明に基づいて、当業者が容易に発明をすることができたものと認められ、特許法第２９条第２項の規定により特許を受けることはできない。
　よって、結論のとおり審決する。